(57)【要約】【目的】偏光分離プリズムを用いてＤＭＤにおける照明光束と投写光束とを分離することにより、ＤＭＤを構成する微小なミラー素子の回転角を変更することなく照明光学系の有効Ｆナンバを小さくして明るい光学系とするとともに、照明光束と投写光束の方向を任意に設定可能とする。【構成】照明光学系２０から偏光方向が揃えられた光を射出する。照明光学系２０からの光をＤＭＤ７０に入射させるとともに、ＤＭＤ７０により変調され映像情報が担持された光を投映光学系８０に導く偏光分離プリズム５０を備える。偏光分離プリズム５０の偏光分離面５１により、ＤＭＤ７０に入射される光束とＤＭＤ７０から射出された光束とを分離する。偏光分離面５１とＤＭＤ７０との間に、偏光方向を回転させる１／４λ位相差板６０を配設する。【選択図】　　　　　図１
2004101826.tif 000002
【特許請求の範囲】
【請求項１】
画像の各画素と対応するように微小な光反射方向可変ミラー素子が一平面内で規則的に配列され、入力される映像信号に応じて前記各ミラー素子が回転角の互いに異なる二つの状態間で切り替わることにより照明光を第１と第２の方向のうちいずれか一方向に択一的に反射して照明光の変調を行うためのデジタル・マイクロミラー・デバイスと、
前記デジタル・マイクロミラー・デバイスに対して偏光方向が揃えられた光束を照明するための照明光学系と、
前記デジタル・マイクロミラー・デバイスにより変調された光束を所定の投映面上に投写するための投映光学系と、
前記照明光学系からの光を前記デジタル・マイクロミラー・デバイスに入射させるとともに、該デジタル・マイクロミラー・デバイスにより変調され前記第１の方向に射出された前記照明光を前記投映光学系に導くための光束分離手段とを備えたプロジェクタ用光学系において、
前記光束分離手段は、前記デジタル・マイクロミラー・デバイスに入射される光束と前記デジタル・マイクロミラー・デバイスから射出された光束とを分離するための偏光分離面を有し、
前記偏光分離面と前記デジタル・マイクロミラー・デバイスとの間に、偏光方向を回転させるための偏光方向回転手段を配設したことを特徴とするプロジェクタ用光学系。
【請求項２】
前記光束分離手段は、プリズム部材であることを特徴とする請求項１記載のプロジェクタ用光学系。
【請求項３】
前記偏光方向回転手段は、１／４λ位相差板からなることを特徴とする請求項１または２記載のプロジェクタ用光学系。
【請求項４】
前記投映光学系は、縮小倍率側にテレセントリックな光学系であることを特徴とする請求項１〜３のうちいずれか１項記載のプロジェクタ用光学系。
【請求項５】
請求項１〜４のうちいずれか１項記載のプロジェクタ用光学系を備えたことを特徴とするプロジェクタ装置。
【発明の詳細な説明】
【０００１】
【発明の属する技術分野】
本発明は、ライトバルブにより変調された照明光をスクリーン上に拡大投写するプロジェクタ用光学系に関し、詳しくは映像信号に応じて照射光の反射方向を変化させ、信号光のみを投映光学系方向に反射させ得る、多数の光反射方向可変ミラー素子を備えたデジタル・マイクロミラー・デバイスを搭載したプロジェクタ用光学系およびこれを用いたプロジェクタ装置に関するものである。
【０００２】
【従来の技術】
近年、パーソナルコンピュータを用いたプレゼンテーションの普及や、ＤＶＤ機器等の映像を大画面で楽しみたいとの要望から、プロジェクタ市場が大きく拡大してきている。その中でも、高精細画像の要求の高まりに伴い、光学系のサイズを大型化することなく画素数を飛躍的に増大させる技術として、デジタル・マイクロミラー・デバイス（以下、ＤＭＤと称する）を用いたプロジェクタ用光学系が開発されている。
【０００３】
また、パーソナルコンピュータを用いてプレゼンテーションを行う場合には、プロジェクタ装置を明るい空間で使用することが多く、このような環境下においても十分明るい映像を得ることが可能なプロジェクタ装置の開発が要望されている。
【０００４】
ところで、プロジェクタ装置からの投影画像を明るくするためには、使用する光源の出力を上げることが考えられる。
しかしながら、光源の出力を上げた場合には、製造コストが上昇するだけではなく、光源から発生する熱に対応する必要があり、また光源の寿命が短くなるという問題があった。
【０００５】
これに対して、照明光学系の有効Ｆナンバを小さくして効率的に照明を行うことにより、プロジェクタ装置からの投映画像を明るくする方法が考えられる。
【０００６】
このようなプロジェクタ用光学系として、従来のＤＭＤを用いたプロジェクタ用光学系の一例を図面を参照しつつ説明する。図６は全反射プリズムを用いて照明光束と投写光束とを分離するプロジェクタ用光学系の主要部の構成を示す図であり、図７は投映光学系の瞳位置で照明光束と投写光束とを分離するプロジェクタ用光学系の構成を示す断面図である。
【０００７】
従来の全反射プリズムを用いて照明光束と投写光束とを分離するプロジェクタ用光学系は、図６に示すように、光源（図示せず）から照射された照明光が、プリズム９０の全反射面９１により全反射されてＤＭＤ７０に入射する。そして、ＤＭＤ７０で変調された照明光は投映光学系（図示せず）に入射されてスクリーン（図示せず）上に投写される。なお、ＤＭＤ７０の表面には、カバーガラス７１が取り付けられている。
【０００８】
また、従来の投映光学系の瞳位置で照明光束と投写光束とを分離するプロジェクタ用光学系は、図７に示すように、光源部１０と、光源部１０からの光束を均一化するためのロッドインテグレータ２０１および一対のレンズ２０２，２０３からなるインテグレータ光学系２０と、ミラー４０３と、一対の集光レンズ４０１，４０２と、ＤＭＤ７０と、複数のレンズよりなる投映光学系８０とを備えてなる。なお、ＤＭＤ７０の表面には、カバーガラス７１が取り付けられている。
【０００９】
このプロジェクタ用光学系では、投映光学系８０の瞳位置付近に集光レンズ４０１が配置されており、この瞳位置付近に配置された集光レンズ４０１を照明光束が通過し、一方、ＤＭＤ７０からの投写光束は投映光学系８０の枠（図示せず）の内側へ入射することでこれら両光束が分離される。すなわち、光源部１０から発射され略平行光とされた照明光は、インテグレータ光学系２０により光束が均一化され、ミラー４０３により反射された後、集光レンズ４０１，４０２により集光されてＤＭＤ７０に入射する。そして、ＤＭＤ７０で変調され、画像情報を担持した照明光は再びフィールドレンズ４０２を介して投映光学系８０に入射されてスクリーン（図示せず）上に投写される。
【００１０】
【発明が解決しようとする課題】
しかしながら、ＤＭＤを用いたプロジェクタ用光学系において、上述した従来の全反射プリズムを用いて照明光束と投写光束とを分離する光学系や、投映光学系の瞳位置で照明光束と投写光束とを分離する光学系では、有効ＦナンバとＤＭＤを構成する微小なミラー素子の回転角とが密接な関係にあることから、ＤＭＤを構成する微小なミラー素子の回転角を変更することなしには、照明光学系の有効Ｆナンバを小さくすることができない。また、ＤＭＤを構成する微小なミラー素子の回転角は所定の規格に基づいて決定されているため、これを変更することは容易ではない。
【００１１】
また、全反射プリズムにおける全反射角（図６中、Ａで示す）は、全反射条件により決定されてしまい、任意に変更することができない。
【００１２】
本発明はこのような事情に鑑みなされたもので、ＤＭＤを用いたプロジェクタ用光学系およびこれを用いたプロジェクタ装置において、ＤＭＤを構成する微小なミラー素子の回転角を変更することなく照明光学系の有効Ｆナンバを小さくして明るい光学系とするとともに、照明光束と投写光束の方向を任意に設定可能とすることを目的とする。
【００１３】
【課題を解決するための手段】
本発明に係るプロジェクタ用光学系は、上述した目的を達成するため、画像の各画素と対応するように微小な光反射方向可変ミラー素子が一平面内で規則的に配列され、入力される映像信号に応じて前記各ミラー素子が回転角の互いに異なる二つの状態間で切り替わることにより照明光を第１と第２の方向のうちいずれか一方向に択一的に反射して照明光の変調を行うためのデジタル・マイクロミラー・デバイスと、
前記デジタル・マイクロミラー・デバイスに対して偏光方向が揃えられた光束を照明するための照明光学系と、
前記デジタル・マイクロミラー・デバイスにより変調された光束を所定の投映面上に投写するための投映光学系と、
前記照明光学系からの光を前記デジタル・マイクロミラー・デバイスに入射させるとともに、該デジタル・マイクロミラー・デバイスにより変調され前記第１の方向に射出された前記照明光を前記投映光学系に導くための光束分離手段とを備えたプロジェクタ用光学系において、
前記光束分離手段は、前記デジタル・マイクロミラー・デバイスに入射される光束と前記デジタル・マイクロミラー・デバイスから射出された光束とを分離するための偏光分離面を有し、
前記偏光分離面と前記デジタル・マイクロミラー・デバイスとの間に、偏光方向を回転させるための偏光方向回転手段を配設したことを特徴とするものである。
【００１４】
また、前記光束分離手段は、プリズム部材であることが好ましい。
【００１５】
また、前記偏光方向回転手段は、１／４λ位相差板から構成することが可能である。
【００１６】
また、前記投映光学系は、縮小倍率側にテレセントリックな光学系であることが好ましい。
【００１７】
本発明に係るプロジェクタ装置は、上記プロジェクタ用光学系を備えたことを特徴とするものである。
【００１８】
【発明の実施の形態】
以下、図面に示す具体的な実施例に基づいて、本発明に係るプロジェクタ用光学系およびこれを用いたプロジェクタ装置の実施形態を説明する。
【００１９】
＜実施例１＞
図１は本発明の実施例１に係るプロジェクタ用光学系の構成を示す断面図であり、図２はこのプロジェクタ用光学系の主要部を示す図である。
【００２０】
本発明の実施例１に係るプロジェクタ用光学系は、図１に示すように、光源部１０と、光束断面内における光量分布を均一化させるためのインテグレータ光学系２０と、光源部１０からの光束を所定の直線偏光に変換するための偏光変換部３０と、偏光を収束するための一対の集光レンズ４１，４２と、偏光分離面５１を有する偏光分離プリズム５０と、１／４λ位相差板６０と、ＤＭＤ（デジタル・マイクロミラー・デバイス）７０と、複数のレンズよりなる投映光学系８０とを備えている。
【００２１】
光源部１０は、放物面リフレクタ１１と、その焦点位置に配置された光源ランプ１２を備えており、光源ランプ１２からの照明光（白色光）を放物面リフレクタ１１により反射して略平行光とした後にインテグレータ光学系２０に入射する。
【００２２】
インテグレータ光学系２０は、第１レンズアレイ２１および第２レンズアレイ２２からなり、各レンズアレイ２１，２２の基板上に、矩形状に設けられた複数の凸レンズを配列してなる。第１レンズアレイ２１および第２レンズアレイ２２の各凸レンズは、対応する面が対向し、光源ランプ１２からの光束が効率よくかつ均一となって偏光変換部３０（後に詳述する櫛形フィルタ）に照射される位置に配置されている。第１レンズアレイ２１に入射した光は、各凸レンズの集光作用により、光軸Ｘと垂直な平面内に凸レンズの数と同数の光源の像を形成し、第２レンズアレイ２２は、この光源の像の近傍に配置される。そして、第２レンズアレイ２２により集光された光は、第２レンズアレイ２２に隣接する偏光変換部３０に入射される。
【００２３】
偏光変換部３０は、櫛形フィルタからなり、詳細には図示しないが、偏光分離面およびＰ偏光をＳ偏光に変換する１／２λ位相差板を有しており、光源部１０からの照明光をＳ偏光に揃えるようになっている。そして、櫛形フィルタでＳ偏光に揃えられた照明光は、一対の集光レンズ４１，４２を介して偏光分離プリズム５０に入射される。
【００２４】
偏光分離プリズム５０は、図２に示すように、偏光分離面５１を有しており、入射されたＳ偏光は偏光分離面５１により反射されて１／４λ位相差板６０を介してＤＭＤ７０へ入射され、ＤＭＤ７０において変調され、反射された後、再び１／４λ位相差板６０を通過することでＰ偏光に変換されて偏光分離プリズム５０に入射される。この後、１／４λ位相差板６０の作用によりＰ偏光とされた変調光は偏光分離面５１を透過することとなることから、所望とする映像情報を担持したＰ偏光は、この後、投映光学系８０に入射されてスクリーン（図示せず）上に投写されることとなる。
【００２５】
なお、図２では、偏光分離プリズム５０に入射され、偏光分離面５１により反射されてＤＭＤ７０に至るＳ偏光を破線で示し、ＤＭＤ７０により変調され、偏光分離面５１を透過して投映光学系８０へ至るＰ偏光を実線で示している（図４において同じ）。
【００２６】
ＤＭＤ７０は略平板状の素子であり、基板上に、いずれも同様の構成とされた極めて多数のミラー素子が一平面（ＤＭＤ面）内で規則的に配列されたミラー面を備えてなり、このミラー面を構成する各ミラー素子の反射方向を各々独立して２方向に切り換え得るように構成されている。各ミラー素子は画像の各画素と対応し、各ミラー素子に入力される映像信号のＯＮ／ＯＦＦ制御に応じて回転角の互いに異なる２つの状態のうちいずれかの状態をとることにより、照明光を第１と第２の方向のうちいずれかの方向に択一的に反射する。なお、ＤＭＤ７０の表面には、カバーガラス７１が取り付けられている。
【００２７】
本実施形態においては、ＯＮ状態とされたミラー素子により反射された光が所望とする変調光であり、ＯＦＦ状態とされたミラー素子により反射された光は、例えば偏光分離プリズム５０の側面から外方に射出され、図示されない光吸収板等により熱に変換されて放出される。
また、投映光学系８０は、縮小倍率側にテレセントリックな光学系とされており、これにより色ムラおよび光量ムラを防止することができる。
【００２８】
このように、実施例１のプロジェクタ用光学系では、光源部１０から光軸Ｘに沿って照射される照明光は、インテグレータ光学系２０により光束断面内における光量分布が均一化され、偏光変換部３０によりＳ偏光とされた後、集光レンズ４１，４２により収束される。そして、偏光分離プリズム５０の偏光分離面５１により反射され、１／４λ位相差板６０により偏光方向が９０°回転されてＤＭＤ７０に入射する。ＤＭＤ７０では、各ミラー素子が照明光を第１と第２の方向のうちいずれかの方向に択一的に反射することで映像情報を担持せしめる。このようにして生成された変調光は、再び１／４λ位相差板６０を通過することで偏光方向が９０°回転され、Ｐ偏光に変換された後、偏光分離プリズム５０に入射される。偏光分離プリズム５０では、前述したように偏光分離面５１においてＰ偏光を透過させるため、上記所望の映像情報を担持した変調光が投映光学系８０に入射されてスクリーン（図示せず）上に投写される。
【００２９】
したがって、実施例１のプロジェクタ用光学系では、偏光分離プリズム５０の偏光分離面５１によりＤＭＤ７０で変調された照明光を偏光分離するため、全反射プリズムを用いた場合と比較して、照明光束と投写光束との角度の設定範囲が広がるとともに、その自由度が増し、ＤＭＤ７０を構成する微小なミラー素子の回転角を変更することなく照明光学系のＦナンバを小さくすることができる。また、偏光分離プリズム５０は、２つのプリズムを偏光分離面を介して接着することができるので、エアギャップを介して全反射面を形成する従来技術と比較して光路調整の信頼度が向上する。
【００３０】
＜実施例２＞
図３は本発明の実施例２に係るプロジェクタ用光学系の構成を示す断面図であり、図４はこのプロジェクタ用光学系の主要部を示す図である。
【００３１】
本発明の実施例２に係るプロジェクタ用光学系は、実施例１のものとほぼ同様の構成とされているが、偏光分離プリズム５０における照明光と投写光がなす角度の設定と、インテグレータ光学系２０および偏光変換部３０の構成とが異なっている。以下、実施例１のものと異なる構成について説明し、実施例１のものと同様の構成部分には同一の符号を付して詳細な説明を省略する。
【００３２】
実施例２に係るプロジェクタ用光学系は、図３に示すように、光源部１０と、光束断面内における光量分布を均一化させるためのインテグレータ光学系２０Ａと、光源部１０からの光束を所定の直線偏光に変換するための偏光変換部３０と、偏光変換部３０からの偏光を反射するためのミラー４３と、偏光を収束するための一対の集光レンズ４１，４２と、偏光分離面５１を有する偏光分離プリズム５０と、１／４λ位相差板６０と、ＤＭＤ７０と、複数のレンズよりなる投映光学系８０とを備えている。
【００３３】
光源部１０および投映光学系８０の構成は、実施例１のものと同様となっている。すなわち、実施例２に係るプロジェクタ用光学系では、光源ランプ１２からの照明光（白色光）を放物面リフレクタ１１により反射して略平行光とした後にインテグレータ光学系２０Ａに入射する。
【００３４】
インテグレータ光学系２０Ａは、光源部１０からの照明光を収束するための第１レンズ２３および第２レンズ２４と、光源部１０からの光束を均一化するためのロッドインテグレータ２７と、ロッドインテグレータ２７を通過した光束を拡散するとともに略平行光とするための第３レンズ２５および第４レンズ２６とからなる。なお、上記ロッドインテグレータ２７は、その入射端面に種々の角度で入射した光線束を、光軸Ｘ方向に全反射して導きながら混合して、その射出端面における光量分布を均一化させるものである。このインテグレータ光学系２０Ａにより均一化された光束が偏光変換部３０に入射される。
【００３５】
偏光変換部３０は、１つの偏光分離面を有する光学素子と１つの偏光方向回転素子（図示せず）とを組み合わせた偏光変換部材からなり、光源部１０からの照明光をＳ偏光に揃えるようになっている。偏光変換部３０によりＳ偏光とされた照明光は、ミラー４３により略垂直方向に反射され、一対の集光レンズ４１，４２により偏光分離プリズム５０に導かれる。
【００３６】
偏光分離プリズム５０は、実施例１のものとほぼ同様の構成とされているが、照明光と投写光とが略垂直となるように偏光分離面５１が設定されている点が実施例１のものと異なっている。すなわち、実施例２の偏光分離プリズム５０は、図４に示すように、偏光分離面５１を有しており、入射されたＳ偏光は偏光分離面５１により反射されて１／４λ位相差板６０を介してＤＭＤ７０へ入射され、ＤＭＤ７０において、投写光となる所定の光が照明光と略垂直方向となるように反射して変調され、再び１／４λ位相差板６０を通過することでＰ偏光に変換されて偏光分離プリズム５０に入射される。この後、１／４λ位相差板６０の作用によりＰ偏光とされた変調光は偏光分離面５１を透過することとなるから、所望とする映像情報を担持したＰ偏光は、この後、投映光学系８０に入射されてスクリーン（図示せず）上に投写される。
【００３７】
このように、実施例２のプロジェクタ用光学系では、光源部１０から光軸Ｘに沿って照射される照明光は、インテグレータ光学系２０Ａにより光束断面内における光量分布が均一化され、偏光変換部３０によりＳ偏光とされた後、ミラー４３により反射され、集光レンズ４１，４２により収束される。そして、偏光分離プリズム５０の偏光分離面５１により反射され、１／４λ位相差板６０により偏光方向が９０°回転されてＤＭＤ７０に入射する。ＤＭＤ７０では、各ミラー素子が照明光を第１と第２の方向のうちいずれかの方向に択一的に反射することで映像情報を担持せしめる。このようにして生成された変調光は、再び１／４λ位相差板６０を通過することで偏光方向が９０°回転され、Ｐ偏光に変換された後、偏光分離プリズム５０に入射される。偏光分離プリズム５０では、前述したように偏光分離面５１においてＰ偏光を透過させるため、上記所定の映像情報を担持した変調光が投映光学系８０に入射されてスクリーン（図示せず）上に投写される。
【００３８】
したがって、実施例２のプロジェクタ用光学系では、実施例１のものと同様に、ＤＭＤ７０における微小なミラー素子の回転角を変更することなく照明光学系のＦナンバを小さくすることができるとともに、照明光と投写光とが略垂直となっているため、装置のコンパクト化を図ることができる。
【００３９】
＜実施例３＞
図５は本発明の実施例３に係るプロジェクタ用光学系の主要部を示す図である。
本発明の実施例３に係るプロジェクタ用光学系は、実施例１のものとほぼ同様の構成とされているが、ＤＭＤ７０への入射光束およびＤＭＤ７０からの射出光束の偏光の種類が実施例１のものとは異なっている。
【００４０】
すなわち、実施例３に係るプロジェクタ用光学系の偏光分離プリズム５０Ａは、図５に示すように、ＤＭＤ７０への入射光束およびＤＭＤ７０からの射出光束が実施例１のものと逆になっている。また、実施例３に係るプロジェクタ用光学系では、光源部からの照明光束が、偏光変換部によりＰ偏光に揃えられている。
【００４１】
実施例３に係るプロジェクタ用光学系では、Ｐ偏光とされた照明光束が偏光分離プリズム５０に入射される。そして、偏光分離プリズム５０Ａの偏光分離面５１Ａを透過し、１／４λ位相差板６０により偏光方向が９０°回転されてＤＭＤ７０に入射する。ＤＭＤ７０では、各ミラー素子が照明光を第１と第２の方向のうちいずれかの方向に択一的に反射することで映像情報を担持せしめる。このようにして生成された変調光は、再び１／４λ位相差板６０を通過することで偏光方向が９０°回転され、Ｓ偏光に変換された後、偏光分離プリズム５０Ａに入射される。偏光分離プリズム５０Ａでは、前述したように偏光分離面５１ＡにおいてＰ偏光を透過させる一方、Ｓ偏光を反射させるため、上記所望の映像情報を担持した変調光が投映光学系８０に入射されてスクリーン（図示せず）上に投写される。
【００４２】
なお、図５では、偏光分離プリズム５０Ａに入射され、偏光分離面５１Ａを透過してＤＭＤ７０へ至るＰ偏光を破線で示し、ＤＭＤ７０により変調され、偏光分離面５１により反射されて投映光学系８０へ至るＳ偏光を実線で示している。
【００４３】
＜プロジェクタ装置＞
本発明に係るプロジェクタ装置は、上述した実施例１〜実施例３に係るプロジェクタ用光学系を用いて構成することができ、特に、パーソナルコンピュータを用いたプレゼンテーションや、ＤＶＤ機器等の映像を大画面に投映するのに適している。
【００４４】
なお、本発明に係るプロジェクタ用光学系およびこれを用いたプロジェクタ装置としては、上記実施形態のものに対して種々の態様の変更が可能である。例えば、上記実施形態では、光束分離手段としてプリズム部材が用いられているが、光束分離手段としてはこれに限られるものではなく、例えば平板状のものを用いることもできる。
【００４５】
【発明の効果】
以上説明したように、本発明のプロジェクタ用光学系およびこれを用いたプロジェクタ装置によれば、デジタル・マイクロミラー・デバイスを構成する微小なミラー素子の回転角を変更することなく照明光学系の有効Ｆナンバを小さくして明るい光学系とすることが可能となる。また、照明光束と投写光束の方向を任意に設定することが可能となり、装置のコンパクト化に貢献することができる。
【００４６】
また、投映光学系を縮小倍率側にテレセントリックな光学系とすることにより、色ムラおよび光量ムラを防止することができる。
【図面の簡単な説明】
【図１】本発明の実施例１に係るプロジェクタ用光学系の構成を示す断面図
【図２】本発明の実施例１に係るプロジェクタ用光学系の主要部を示す図
【図３】本発明の実施例２に係るプロジェクタ用光学系の構成を示す断面図
【図４】本発明の実施例２に係るプロジェクタ用光学系の主要部を示す図
【図５】本発明の実施例３に係るプロジェクタ用光学系の主要部を示す図
【図６】全反射プリズムを用いて照明光束と投写光束とを分離する従来のプロジェクタ用光学系の主要部の構成を示す図
【図７】投映光学系の瞳位置で照明光束と投写光束とを分離する従来のプロジェクタ用光学系の構成を示す断面図
【符号の説明】
１０　光源部
１１　放物面リフレクタ
１２　光源ランプ
２０，２０Ａ　インテグレータ光学系
２１　第１レンズアレイ
２２　第２レンズアレイ
２３〜２６　第１〜第４レンズ
２７　ロッドインテグレータ
３０　偏光変換部
４１，４２　集光レンズ
４３　ミラー
５０，５０Ａ　偏光分離プリズム
５１，５１Ａ　偏光分離面
６０　１／４λ位相差板
７０　ＤＭＤ
７１　カバーガラス
８０　投映光学系
９０　プリズム
９１　全反射面
２０１〜２０３　従来のインテグレータ光学系を構成するレンズ
４０１，４０２　従来のプロジェクタ用光学系を構成するフィールドレンズ
４０３　ミラー
Ａ　全反射角
Ｘ　光軸
【図１】
2004101826.tif 000003
【図２】
2004101826.tif 000004
【図３】
2004101826.tif 000005
【図４】
2004101826.tif 000006
【図５】
2004101826.tif 000007
【図６】
2004101826.tif 000008
【図７】
2004101826.tif 000009